(57)【特許請求の範囲】
【請求項１】
基地局は、干渉制御機能の配置情報を通知するように、ダウンリンクチャネルによって、複数の干渉制御機能のインデックス情報を載せる干渉制御機能の指示シグナルを端末に送信するステップと、
前記干渉制御機能の指示シグナルに応答して、前記端末が、前記インデックス情報によって前記複数の干渉制御機能から１つの干渉制御機能を選択して、選択された干渉制御機能の情報を前記基地局にフィードバックするステップと、
端末からのフィードバックによって、前記基地局が、選択された干渉制御機能をイネーブルするかどうかに関わるイネーブル指示情報、選択された干渉制御機能のイネーブル時間指示情報、周波数パーティションの送信パワー指示情報のうちの少なくとも１つを載せた干渉制御機能の指示シグナルを端末に送信するステップと、
を含むことを特徴とする干渉制御機能の指示シグナルを送信する方法。
【請求項２】
前記干渉制御機能の指示シグナルには、干渉制御機能をイネーブルするかどうかに関わるイネーブル指示情報、干渉制御機能のインデックス情報、干渉制御機能のイネーブル時間指示情報、周波数パーティションの送信パワー指示情報の少なくとも１つを載せることを特徴とする請求項１に記載の方法。
【請求項３】
前記イネーブル時間指示情報は、干渉制御機能のイネーブル開始時刻、ディセーブル開始時刻、イネーブル終了時刻、ディセーブル終了時刻、イネーブル継続時間、ディセーブル継続時間の１つを指示することに用いられることを特徴とする請求項２に記載の方法。
【請求項４】
前記方法は、前記基地局と前記端末において、干渉制御機能、干渉制御機能のイネーブル時間指示情報、周波数パーティションの送信パワー指示情報のうちの少なくとも１つを予め配置するステップを更に含み、
干渉制御機能の指示シグナルには、干渉制御機能のイネーブル指示情報を載せることを特徴とする請求項１に記載の方法。
【請求項５】
端末が、干渉制御機能をイネーブルするかどうかに関わるイネーブル指示情報、干渉制御機能のインデックス情報、干渉制御機能のイネーブル時間指示情報、及び周波数パーティションの送信パワー指示情報を載せる、基地局からの干渉制御機能の指示シグナルを受信するステップと、
前記干渉制御機能の指示シグナルによって干渉制御機能の配置操作を行うステップと、を含むことを特徴とする干渉制御機能の指示シグナルを受信する方法。
【請求項６】
前記干渉制御機能の配置操作は、
前記干渉制御機能をイネーブルするかどうかに関わるイネーブル指示情報によって、干渉制御機能のイネーブルを判断して、前記干渉制御機能のインデックス情報によって、配置の必要がある干渉制御機能を判断する操作、
前記インデックス情報の指示した干渉制御機能を選択して配置する操作、
前記イネーブル時間指示情報の指示した時刻又は時間帯において、前記イネーブル指示情報によって、予め配置又は選択された干渉制御機能をイネーブル又はディセーブルする操作のうち、少なくとも１つであることを特徴とする請求項５に記載の方法。
【請求項７】
端末が、複数の干渉制御機能のインデックス情報を載せる基地局からの第１の干渉制御機能の指示シグナルを取得するステップと、
前記インデックス情報によって、複数の干渉制御機能から１つの干渉制御機能を選択して、選択された干渉制御機能を前記基地局にフィードバックするステップと、
イネーブルするかどうかに関わるイネーブル指示情報、選択された干渉制御機能のイネーブル時間指示情報、周波数パーティションの送信パワー指示情報のうちの少なくとも１つを載せる基地局からの第２の干渉制御機能の指示シグナルを取得するステップと、
前記第２の干渉制御機能の指示シグナルによって、干渉制御機能の配置操作を行うステップと、
を含むことを特徴とする干渉制御機能の指示シグナルを受信する方法。
【請求項８】
干渉制御機能をイネーブルするかどうかに関わるイネーブル指示情報、干渉制御機能のインデックス情報、干渉制御機能のイネーブル時間指示情報、及び周波数パーティションの送信パワー指示情報を載せる基地局からの干渉制御機能の指示シグナルを受信するための受信器と、
前記受信器により受信された前記干渉制御機能の指示シグナルによって、干渉制御機能の配置操作を行うための配置器と、
を備えることを特徴とする端末。
【発明の詳細な説明】
【技術分野】
【０００１】
本発明は、通信分野に関し、具体的には、干渉制御機能の指示シグナルを送信、受信する方法及び端末に関する。
【背景技術】
【０００２】
基地局を利用してスケジューリング制御を行うデータ伝送システムにおいて、システムにおける全てのリソースのスケジューリング・配布は、一般的に、基地局により行われ、例えば、基地局がダウンリンク伝送を行う場合のリソース配布及び端末がアップリンク伝送を行う場合の利用可能なリソースなども、基地局によりスケジューリング・配布される。
【０００３】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムでは、同一のセルにおいて、基地局が異なる端末とダウンリンクデータ伝送を行う場合、これらのダウンリンクが互いに直交するため、隣接セル間の干渉を避けることができる。しかしながら、異なるセルの間のダウンリンクが互いに直交しないことがあるため、各端末が、他の隣接セルにおける基地局からのダウンリンク干渉、即ち隣接セル間の干渉を受ける可能性がある。
【０００４】
隣接セル間の干渉が厳しいと、システムの負荷能力、特に、セル端のユーザーの伝送能力を低下させ、更にシステムの被覆能力及び端末の性能に影響を与えてしまう。隣接セル間の干渉を克服するために、ＡＦＲ（Ａｄａｐｔｉｖｅ  Ｆｒｅｑｕｅｎｃｙ  Ｒｅｕｓｅ）技術を利用して、異なるサブバンドリソースを端末に配布するにより、隣接セル間の干渉の強さを低減させる。
【０００５】
図１は、隣接する３つのセクター（セクター１、セクター２、セクター３）の周波数リソース配布方式及び各周波数パーティション（Ｆｒｅｑｕｅｎｃｙ  Ｐａｒｔｉｔｉｏｎ；ＦＰと略称される）の送信パワーに対する制限状況を示す図である。関連技術において、ＡＦＲ原理を利用して隣接セル間干渉の強さを低下させる方法は、主に下記の通りである。
【０００６】
まず、利用可能な周波数リソースをＮ（Ｎは０より大きい整数である）個のＦＰに分けて、Ｎ＝４をして、即ち、利用可能な周波数リソースを［ＦＰ１、ＦＰ２、ＦＰ３、ＦＰ４］に分ける。ただし、ＦＰ２、ＦＰ３、ＦＰ４の周波数再利用因数が３であり（即ち、Ｒｅｕｓｅ３；Ｒｅｕｓｅ１／３とも称される）、ＦＰ２、ＦＰ３、ＦＰ４における周波数リソースが、隣接する３つのセクターの１つに配布されるが、他の２つのセクターがこの周波数リソースを採用することができなく、あるいは、この周波数リソースを利用するためには、この周波数リソースのサブキャリアの送信パワーを制限する方法を採用する必要があり、ＦＰ１の周波数再利用因数が１であり（即ち、Ｒｅｕｓｅ１）、前記の隣接する３つのセクターが、いずれもこの周波数リソースを利用可能である。
【０００７】
そして、基地局は、ＦＰごとに１つのリソースメトリック（Ｒｅｓｏｕｒｃｅ  Ｍｅｔｒｉｃ）、即ち、［ＲＭ１、ＲＭ２、ＲＭ３、ＲＭ４］を配布し、このリソースメトリックを端末に通知する。端末のそれぞれは、各ＦＰの平均ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ；信号対干渉雑音パワー比）を推定するにより、各ＦＰのＭＣＳ（Ｍｏｄｕｌａｔｅ  ａｎｄ  Ｃｏｄｉｎｇ  ｓｃｈｅｍｅ；変調および符号化方法）レート及びＰＥＲ（ｐａｃｋｅｔ  Ｅｒｒｏｒ  Ｒａｔｅ；パケット誤り率）を推定し、各ＦＰのＥｘｐｅｃｔｅｄ  ＳＥｉ（Ｅｘｐｅｃｔｅｄ  ＳＥｉ＝ＭＣＳ  Ｒａｔｅｉ×（１−ＰＥＲｉ））（ただし、ｉがＦＰのインデックス番号である）、各ＦＰのＮｏｒｍａｌｉｚｅｄ  ＳＥｉ（Ｎｏｒｍａｌｉｚｅｄ  ＳＥｉ＝Ｅｘｐｅｃｔｅｄ  ＳＥｉ／ＲＭｉ）（ただし、ｉがＦＰのインデックス番号である）を計算することによって、Ｎｏｒｍａｌｉｚｅｄ  ＳＥｉが最も大きいＭ（Ｍ≧１）個のＦＰのＣＱＩ（Ｃｈａｎｎｅｌ  Ｑｕａｌｉｔｙ  Ｉｎｆｏｒｍａｔｉｏｎ；チャネル品質情報）を基地局にフィードバックする。
【０００８】
最後、基地局は、端末から報告されたＦＰのＣＱＩによって、端末にリソースを配布する。
【０００９】
しかしながら、この方法では、隣接セル間の干渉を低下させる場合、端末の計算プロセスが複雑で、システムの負荷が重くて、且つ、基地局と端末との間に、数回のシグナルインターワーキングを行う必要があり、シグナルコストが高くなる。
【発明の概要】
【発明が解決しようとする課題】
【００１０】
本発明は、隣接セル間の干渉の強さを低下させる場合、端末の計算プロセスが複雑で、基地局とのシグナルインターワーキングのコストが大きいである課題を解決するための、干渉制御機能の配置指示方法及び相応的な端末制御方法を提供することを目的とする。
【課題を解決するための手段】
【００１１】
前記目的を実現するように、本発明の一形態によると、干渉制御機能の指示シグナルを送信する方法を提供する。この方法では、基地局は、干渉制御機能の配置情報を通知するように、ダウンリンクチャネルによって、干渉制御機能の指示シグナルを端末に送信する。
【００１２】
好ましくは、干渉制御機能の指示シグナルには、干渉制御機能をイネーブルするかどうかに関わるイネーブル指示情報、干渉制御機能のインデックス情報、干渉制御機能のイネーブル時間指示情報、周波数パーティションの送信パワー指示情報のうちの少なくとも１つを載せる。
【００１３】
好ましくは、イネーブル時間指示情報は、干渉制御機能のイネーブル開始時刻、ディセーブル開始時刻、イネーブル終了時刻、ディセーブル終了時刻、イネーブル継続時間、ディセーブル継続時間の１つを指示することに用いられる。
【００１４】
好ましくは、干渉制御機能の指示シグナルには、複数の干渉制御機能のインデックス情報を載せる。
【００１５】
好ましくは、前記方法は、干渉制御機能の指示シグナルに応答して、端末が、インデックス情報によって複数の干渉制御機能から１つの干渉制御機能を選択して、選択された干渉制御機能の情報を基地局にフィードバックするステップと、端末からのフィードバックによって、基地局が、選択された干渉制御機能をイネーブルするかどうかに関わるイネーブル指示情報、選択された干渉制御機能のイネーブル時間指示情報、周波数パーティションの送信パワー指示情報のうちの少なくとも１つを載せた干渉制御機能の指示シグナルを端末に送信するステップと、を更に含む。
【００１６】
好ましくは、前記方法は、基地局と端末において、干渉制御機能、干渉制御機能のイネーブル時間指示情報、周波数パーティションの送信パワー指示情報のうちの少なくとも１つを予め配置するステップを更に含み、干渉制御機能の指示シグナルには、干渉制御機能のイネーブル指示情報を載せる。
【００１７】
目的を実現させるように、本発明のもう一つの形態によると、干渉制御機能の指示シグナルを受信する方法を更に提供する。
【００１８】
前記方法は、端末が、干渉制御機能をイネーブルするかどうかに関わるイネーブル指示情報、干渉制御機能のインデックス情報、干渉制御機能のイネーブル時間指示情報、周波数パーティションの送信パワー指示情報のうちの少なくとも１つを載せる、基地局からの干渉制御機能の指示シグナルを受信するステップと、干渉制御機能の指示シグナルによって干渉制御機能の配置操作を行うステップと、を含む。
【００１９】
好ましくは、干渉制御機能の配置操作は、干渉制御機能をイネーブルするかどうかに関わるイネーブル指示情報によって、干渉制御機能のイネーブルを判断して、干渉制御機能のインデックス情報によって、配置の必要がある干渉制御機能を判断する操作、インデックス情報の指示した干渉制御機能を選択して配置する操作、イネーブル時間指示情報の指示した時刻又は時間帯において、イネーブル指示情報によって、予め配置又は選択された干渉制御機能をイネーブル又はディセーブルする操作のうち、少なくとも１つである。
【００２０】
目的を実現するように、本発明の他の形態によると、干渉制御機能の指示シグナルの受信方法を更に提供する。
【００２１】
前記方法において、端末が、複数の干渉制御機能のインデックス情報を載せる基地局からの第１の干渉制御機能の指示シグナルを取得するステップと、インデックス情報によって、複数の干渉制御機能から１つの干渉制御機能を選択して、選択された干渉制御機能を基地局にフィードバックするステップと、イネーブルするかどうかに関わるイネーブル指示情報、選択された干渉制御機能のイネーブル時間指示情報、周波数パーティションの送信パワー指示情報のうちの少なくとも１つを載せる基地局からの第２の干渉制御機能の指示シグナルを取得するステップと、第２の干渉制御機能の指示シグナルによって、干渉制御機能の配置操作を行うステップと、を含む。
【００２２】
目的を実現するように、本発明の他の形態によると、端末を更に提供する。端末は、干渉制御機能をイネーブルするかどうかに関わるイネーブル指示情報、干渉制御機能のインデックス情報、干渉制御機能のイネーブル時間指示情報、周波数パーティションの送信パワー指示情報のうちの少なくとも１つを載せる基地局からの干渉制御機能の指示シグナルを受信するための受信器と、受信器により受信された干渉制御機能の指示シグナルによって、干渉制御機能の配置操作を行うための配置器と、を備える。
【発明の効果】
【００２３】
本発明に提供された前記の少なくとも１つの技術的なスキームを通して、ＡＦＲ機能又は他の干渉機能を利用することを実現する技術を提供していて、基地局が端末に干渉制御機能の指示シグナルを送信することによって、隣接セル間の干渉の強さを低下させる場合、端末が、複雑な計算プロセスを行う必要がなくなるようにして、端末のシステム負荷を低減させ、基地局と端末とのシグナルインターワーキング回数を少なくして、シグナルコストを低下させた。
【００２４】
本発明の他の特徴及びメリットは、明細書における説明からさらに明確になり、又は本発明を実施することによって把握できる。本発明の目的及び他のメリットは、発明の詳細な説明、特許請求の範囲、及び、図面に特別に指摘された構造によって実現される。
【図面の簡単な説明】
【００２５】
ここで説明する図面は、本発明を理解させるためのものであり、本発明の一部を構成し、本発明における実施例と共に本発明を解釈するためのものであって、本発明を不当に限定するものではない。図面において、
【図１】関連技術による隣接セクターの周波数リソース配布方式及び各周波数パーティションの送信パワーに対する制限の模式図である。
【図２】本発明の実施例による隣接セクターの周波数リソース配布方式及び各周波数パーティションの送信パワーに対する制限状況を示す図である。
【図３】本発明の実施例による一つの干渉制御機能の指示シグナルを受信する方法のフロー図である。
【図４】本発明の実施例によるもう一つの干渉制御機能の指示シグナルを受信する方法のフロー図である。
【発明を実施するための形態】
【００２６】
以下、図面を参照しながら、本発明の実施例を詳しく説明する。互いに矛盾しない限り、本案における実施例及び実施例における特徴を相互に組み合わせてもよい。
【００２７】
本発明の実施例において一つの干渉制御機能の配置指示方法を提供していて、この方法では、基地局が、どのような干渉制御機能を選択したか、選択された干渉制御機能又は現在配置されている干渉機能をイネーブルするかどうか、イネーブル／無効化の開始時刻、終了時刻、継続時間などについて、ダウンリンクチャネルによって端末に対して指示することができ、例えば、前記情報における１つ又は複数情報を干渉制御機能の指示シグナルに載せて端末に送信することができる。なお、ここでの干渉制御機能指示シグナルは、新しく設定された干渉制御機能指示に対する専用のシグナルであってもよいが、現有の一般シグナルを利用して一般シグナルの中に上記の各情報を追加することによって実現されてもよいである。
【００２８】
図３に示されるように、端末について、基地局からの干渉制御機能の指示シグナルを受信して（Ｓ３０２）、干渉制御機能の指示シグナルによって干渉制御機能の配置操作を行う（Ｓ３０４）ことができ、例えば、どのような干渉制御機能を選択するか、選択された干渉制御機能、又は配置された利用された干渉制御機能をイネーブルするかどうか、何時イネーブル又はディセーブル操作を行うか等を確定することができる。
【００２９】
選択可能なスキームとして、上記の各配置情報における１つ又は複数の配置情報は、基地局及び端末において予めディフォルト配置されてもよいが、上位層ネット要素により配置されて基地局及び端末に通知されてもよい。ここで、上位層ネット要素は、中継装置、基地局制御器、アクセスサービスネットワーク、接続サービスネットワーク、コアネットワークゲートウェイ等であってよい。
【００３０】
本発明の実施例に提出されたダウンリンクチャネルは、制御チャネル及び／又はサービスチャネルを含み、制御チャネルが、ユニキャスト制御チャネル、マルチキャスト制御チャネル、ブロードキャスト制御チャネルを含んで、これらに限定されなく、例えば、ＳＦＨ（Ｓｕｐｅｒｆｒａｍｅ  Ｈｅａｄｅｒ）が、Ｐ−ＳＦＨ（Ｐｒｉｍａｒｙ  Ｓｕｐｅｒｆｒａｍｅ  Ｈｅａｄｅｒ）と、Ｓ−ＳＦＨ（Ｓｅｃｏｎｄａｒｙ  Ｓｕｐｅｒｆｒａｍｅ  Ｈｅａｄｅｒ；）と、を含む。
【００３１】
関連技術において、隣接セル間の干渉の強さを低下させる場合、端末が、複雑な計算を経て、基地局との数回のシグナルインターワーキングを行う必要があるため、システムの負荷が重くて、シグナルコストが高くなる。本発明の実施例は、基地局がダウンリンクチャネルによって干渉制御機能の指示シグナルを端末に送信する方法を利用することで、隣接セル間の干渉の強さを低下させる場合、端末が複雑な計算プロセスを行う必要がなく、相応的な干渉機能を実現することができるようにして、端末システムの負荷を低減させ、基地局と端末とのシグナルインターワーキング回数を少なくして、シグナルコストを低下させた。
【実施例】
【００３２】
以下、更に実施例に合わせて本発明を説明する。以下、主にＡＦＲ機能を例として説明する。ＡＦＲ機能において、基地局が、各ＦＰのＲｅｓｏｕｒｃｅ  Ｍｅｔｒｉｃを周期的に端末に送信する必要がある。このように、ＡＦＲをイネーブルする場合、基地局が、制御シグナルによって端末に通知することができ、更に、端末がＲｅｓｏｕｒｃｅ  Ｍｅｔｒｉｃを受信して次のＡＦＲ操作を完了して、ＡＦＲ機能をイネーブルしない場合、基地局が、同様に、制御シグナルによって端末に通知することができ、更に、端末が、次のＡＦＲ操作を停止して、隣接セル間の干渉を克服するためのほかのスキームを選択する必要がある場合、基地局が、制御シグナルによって端末に通知することもでき、更に、端末が、このスキームの操作フローに切り替えることになる。上記の各通知操作は、１つの制御シグナルにより完了されてもよいし、それぞれが複数の制御シグナルにより完了されてもよく、本発明は、これに対して制限がない。
【００３３】
実施例１
（１）基地局が制御チャネルにおいて干渉制御機能選択指示シグナルを送信して、干渉制御機能選択指示シグナルが、干渉制御機能をイネーブルするかどうかに関わる指示情報と、選択された干渉制御機能のインデックス情報と、を含む。干渉制御機能のインデックス情報によって、端末は、利用される干渉制御機能を速く判断することができる。干渉制御機能選択指示シグナルの１つのシグナルフォーマットは、表１に示される通りである。
【００３４】
【表１】
0005580412.tif 000002
【００３５】
「１」が干渉制御機能をイネーブルすることを表し、「０」が干渉制御機能をイネーブルしないことを表し、「０１」がＡＦＲ機能のインデックスを表すことを仮にする。本実施例において、現在のシステムが、ＡＦＲ機能を選択してイネーブルすることを仮にすると、基地局は、制御チャネルによって「１  ０１」を送信する。なお、本実施例及び他の実施例において、干渉制御機能をイネーブルするかどうかを前にして、干渉制御機能のインデックス情報を後にする順で、送信を行うが、本発明がこれに限定されなく、本実施例及び他の実施例において、同様に、干渉制御機能のインデックス情報を前にして干渉制御機能をイネーブルするかどうかを後にする順で送信を行ってもよく、この場合、この実施例において基地局が、「０１  １」を送信してもよく、「０１」がＡＦＲ機能のインデックスを表し、「１」がこのインデックスに対応する機能をイネーブルすることを表す。
【００３６】
（２）端末は、基地局が制御チャネルにおいて送信した干渉制御機能選択指示シグナル「１  ０１」を受信してデコードし、現在のシステムの選択した干渉制御機能がＡＦＲ機能でありこの機能をイネーブルしたことを知ると、配置をＡＦＲ機能の配置に調整して、ＡＦＲイネーブルの第一目のＲｅｓｏｕｒｃｅ  Ｍｅｔｒｉｃの受信時刻で、基地局から送信されたＦＰのＲｅｓｏｕｒｃｅ  Ｍｅｔｒｉｃ情報［ＲＭ１、ＲＭ２、ＲＭ３、ＲＭ４］を受信して、さらにＡＦＲ機能フローによって動作する。
【００３７】
実施例２
本実施例において、システム干渉制御機能としてＡＦＲ機能を選択して、この機能が既にイネーブルされており、隣接する３つのセクターのＦＰの区分及びパワー配置状況は、図２に示される通りである。周波数リソースを４つのＦＰ、即ち、ＦＰ１、ＦＰ２、ＦＰ３、ＦＰ４に分け、ただし、［ＦＰ２、ＦＰ３、ＦＰ４］の周波数再利用因数がＲｅｕｓｅ１／３であり、ＦＰ１の周波数再利用因数がＲｅｕｓｅ１である。セクター１における［ＦＰ１、ＦＰ２、ＦＰ３、ＦＰ４］の送信パワーは、［ＰＨｉｇｈ、ＰＬｏｗ１、ＰＬｏｗ２、Ｐｒｅｕｓｅ１］であり、セクター２における［ＦＰ１、ＦＰ２、ＦＰ３、ＦＰ４］の送信パワーは、［ＰＬｏｗ２、ＰＨｉｇｈ、ＰＬｏｗ１、Ｐｒｅｕｓｅ１］であり、セクター３における［ＦＰ１、ＦＰ２、ＦＰ３、ＦＰ４］の送信パワーは、［ＰＬｏｗ１、ＰＬｏｗ２、ＰＨｉｇｈ、Ｐｒｅｕｓｅ１］である。
【００３８】
以下、セクター１を例として、干渉制御機能選択指示シグナルの送信方法及びそれに対応する受信方法を具体的に説明する。
【００３９】
（１）ある原因のため、基地局がＡＦＲ機能を閉じる必要があり、基地局が、制御チャネルにおいて、干渉制御機能をイネーブルするかどうかに関わる指示情報と、選択された干渉制御機能のインデックス情報とを含む干渉制御機能選択指示シグナルを送信することを仮にする。干渉制御機能選択指示シグナルの１つのシグナルフォーマットは、表２に示される通りである。
【００４０】
【表２】
0005580412.tif 000003
【００４１】
「１」が干渉制御機能をイネーブルすることを表し、「０」が干渉制御機能をイネーブルしないことを表し、「０１」がＡＦＲ機能のインデックスを表すことを仮にする。基地局は、制御チャネルにおいて「０  ０１」を送信する。
【００４２】
（２）端末は、基地局が制御チャネルにおいて送信した干渉制御機能選択指示シグナル「０  ０１」を受信してデコードして、現在のシステムがＡＦＲ機能を閉じようとすることを知ると、次のＲｅｓｏｕｒｃｅ  Ｍｅｔｒｉｃの受信時刻で、ＦＰのＲｅｓｏｕｒｃｅ  Ｍｅｔｒｉｃ情報［ＲＭ１、ＲＭ２、ＲＭ３、ＲＭ４］を受信しなく、且つ、ＡＦＲ機能をイネーブルする前のフローによって動作したり、システムのデフォルト配置によって動作したりすることになる。
【００４３】
実施例３
本実施例において、システム干渉制御機能としてＡＦＲ機能を選択して、この機能が既にイネーブルされており、隣接する３つのセクターのＦＰの区分及びパワー配置状況は、図２に示される通りである。周波数リソースを４つのＦＰ、即ち、ＦＰ１、ＦＰ２、ＦＰ３、ＦＰ４に分け、ただし、［ＦＰ２、ＦＰ３、ＦＰ４］の周波数再利用因数がＲｅｕｓｅ１／３であり、ＦＰ１の周波数再利用因数がＲｅｕｓｅ１である。セクター１における［ＦＰ１、ＦＰ２、ＦＰ３、ＦＰ４］の送信パワーは、［ＰＨｉｇｈ、ＰＬｏｗ１、ＰＬｏｗ２、Ｐｒｅｕｓｅ１］であり、セクター２における［ＦＰ１、ＦＰ２、ＦＰ３、ＦＰ４］の送信パワーは、［ＰＬｏｗ２、ＰＨｉｇｈ、ＰＬｏｗ１、Ｐｒｅｕｓｅ１］であり、セクター３における［ＦＰ１、ＦＰ２、ＦＰ３、ＦＰ４］の送信パワーは、［ＰＬｏｗ１、ＰＬｏｗ２、ＰＨｉｇｈ、Ｐｒｅｕｓｅ１］である。
【００４４】
以下、セクター１を例として、干渉制御機能選択指示シグナルの送信方法及びそれに対応する受信方法を具体的に説明する。
【００４５】
（１）ある原因のため、基地局がＡＦＲ機能を閉じる必要があり、基地局が、制御チャネルにおいて、干渉制御機能をイネーブルするかどうかに関わる指示情報と、選択された干渉制御機能のインデックス情報とを含む干渉制御機能選択指示シグナルを送信することを仮にする。干渉制御機能選択指示シグナルの１つのシグナルフォーマットは、表３に示される通りである。
【００４６】
【表３】
0005580412.tif 000004
【００４７】
「１」が干渉制御機能をイネーブルすることを表し、「０」が干渉制御機能をイネーブルしないことを表し、「０１」がＡＦＲ機能のインデックスを表すことを仮にする。基地局は、制御チャネルにおいて「０  ０１」を送信する。
【００４８】
（２）端末は、基地局が制御チャネルにおいて送信した干渉制御機能選択指示シグナル「０  ０１」を受信してデコードし、現在のシステムがＡＦＲ機能を閉じようとすることを知ると、次のＲｅｓｏｕｒｃｅ  Ｍｅｔｒｉｃの受信時刻で、ＦＰのＲｅｓｏｕｒｃｅ  Ｍｅｔｒｉｃ情報［ＲＭ１、ＲＭ２、ＲＭ３、ＲＭ４］を引き続き受信するが、ＡＦＲ機能をイネーブルする前のフローによって動作したり、システムのデフォルト配置によって動作したりすることになる。
【００４９】
実施例４
本実施例において、システム干渉制御機能としてＡＦＲ機能を選択して、この機能が既にイネーブルされており、隣接する３つのセクターのＦＰの区分及びパワー配置状況は、図２に示される通りである。周波数リソースを４つのＦＰ、即ち、ＦＰ１、ＦＰ２、ＦＰ３、ＦＰ４に分け、ただし、［ＦＰ２、ＦＰ３、ＦＰ４］の周波数再利用因数がＲｅｕｓｅ１／３であり、ＦＰ１の周波数再利用因数がＲｅｕｓｅ１である。セクター１における［ＦＰ１、ＦＰ２、ＦＰ３、ＦＰ４］の送信パワーは、［ＰＨｉｇｈ、ＰＬｏｗ１、ＰＬｏｗ２、Ｐｒｅｕｓｅ１］であり、セクター２における［ＦＰ１、ＦＰ２、ＦＰ３、ＦＰ４］の送信パワーは、［ＰＬｏｗ２、ＰＨｉｇｈ、ＰＬｏｗ１、Ｐｒｅｕｓｅ１］であり、セクター３における［ＦＰ１、ＦＰ２、ＦＰ３、ＦＰ４］の送信パワーは、［ＰＬｏｗ１、ＰＬｏｗ２、ＰＨｉｇｈ、Ｐｒｅｕｓｅ１］である。
【００５０】
以下、セクター１を例として、干渉制御機能選択指示シグナルの送信方法及びそれに対応する受信方法を具体的に説明する。
【００５１】
（１）ある原因のため、基地局がＡＦＲ機能を閉じる必要があり、基地局が、制御チャネルにおいて、干渉制御機能をイネーブルするかどうかに関わる指示情報を含む干渉制御機能選択指示シグナルを送信することを仮にする。干渉制御機能選択指示シグナルの１つのシグナルフォーマットは、表４に示される通りである。
【００５２】
【表４】
0005580412.tif 000005
【００５３】
「１」が干渉制御機能をイネーブルすることを表し、「０」が干渉制御機能をイネーブルしないことを表すことを仮にすると、基地局は、制御チャネルにおいて「０」を送信する。
【００５４】
（２）端末は、基地局が制御チャネルにおいて送信した干渉制御機能選択指示シグナル「０」を受信してデコードし、現在のシステムがＡＦＲ機能を閉じようとすることを知ると、次のＲｅｓｏｕｒｃｅ  Ｍｅｔｒｉｃの受信時刻で、ＦＰのＲｅｓｏｕｒｃｅ  Ｍｅｔｒｉｃ情報［ＲＭ１、ＲＭ２、ＲＭ３、ＲＭ４］を受信しなく、且つ、ＡＦＲ機能をイネーブルする前のフローによって動作したり、システムのデフォルト配置によって動作したりする。
【００５５】
実施例５
本実施例において、システム干渉制御機能としてＡＦＲ機能を選択して、この機能が既にイネーブルされており、隣接する３つのセクターのＦＰの区分及びパワー配置状況は、図２に示される通りである。周波数リソースを４つのＦＰ、即ち、ＦＰ１、ＦＰ２、ＦＰ３、ＦＰ４に分け、ただし、［ＦＰ２、ＦＰ３、ＦＰ４］の周波数再利用因数がＲｅｕｓｅ１／３であり、ＦＰ１の周波数再利用因数がＲｅｕｓｅ１である。セクター１における［ＦＰ１、ＦＰ２、ＦＰ３、ＦＰ４］の送信パワーは、［ＰＨｉｇｈ、ＰＬｏｗ１、ＰＬｏｗ２、Ｐｒｅｕｓｅ１］であり、セクター２における［ＦＰ１、ＦＰ２、ＦＰ３、ＦＰ４］の送信パワーは、［ＰＬｏｗ２、ＰＨｉｇｈ、ＰＬｏｗ１、Ｐｒｅｕｓｅ１］であり、セクター３における［ＦＰ１、ＦＰ２、ＦＰ３、ＦＰ４］の送信パワーは、［ＰＬｏｗ１、ＰＬｏｗ２、ＰＨｉｇｈ、Ｐｒｅｕｓｅ１］である。
【００５６】
以下、セクター１を例として、干渉制御機能選択指示シグナルの送信方法及びそれに対応する受信方法を具体的に説明する。
【００５７】
（１）ある原因のため、基地局がＡＦＲ機能を閉じる必要があり、基地局が、制御チャネルにおいて、干渉制御機能をイネーブルするかどうかに関わる指示情報を含む干渉制御機能選択指示シグナルを送信することを仮にする。干渉制御機能選択指示シグナルの１つのシグナルフォーマットは、表５に示される通りである。
【００５８】
【表５】
0005580412.tif 000006
【００５９】
「１」が干渉制御機能をイネーブルすることを表し、「０」が干渉制御機能をイネーブルしないことを表すことを仮にすると、基地局は、制御チャネルにおいて「０」を送信する。
【００６０】
（２）端末は、基地局が制御チャネルにおいて送信した干渉制御機能選択指示シグナル「０」を受信してデコードし、現在のシステムがＡＦＲ機能を閉じようとすることを知ると、次のＲｅｓｏｕｒｃｅ  Ｍｅｔｒｉｃの受信時刻で、ＦＰのＲｅｓｏｕｒｃｅ  Ｍｅｔｒｉｃ情報［ＲＭ１、ＲＭ２、ＲＭ３、ＲＭ４］を引き続き受信するが、ＡＦＲ機能をイネーブルする前のフローによって動作したり、システムのデフォルト配置によって動作したりする。
【００６１】
実施例６
本実施例において、システム干渉制御機能としてＡＦＲ機能を選択して、この機能が既にイネーブルされており、隣接する３つのセクターのＦＰの区分及びパワー配置状況は、図２に示される通りである。周波数リソースを４つのＦＰ、即ち、ＦＰ１、ＦＰ２、ＦＰ３、ＦＰ４に分け、ただし、［ＦＰ２、ＦＰ３、ＦＰ４］の周波数再利用因数がＲｅｕｓｅ１／３であり、ＦＰ１の周波数再利用因数がＲｅｕｓｅ１である。セクター１における［ＦＰ１、ＦＰ２、ＦＰ３、ＦＰ４］の送信パワーは、［ＰＨｉｇｈ、ＰＬｏｗ１、ＰＬｏｗ２、Ｐｒｅｕｓｅ１］であり、セクター２における［ＦＰ１、ＦＰ２、ＦＰ３、ＦＰ４］の送信パワーは、［ＰＬｏｗ２、ＰＨｉｇｈ、ＰＬｏｗ１、Ｐｒｅｕｓｅ１］であり、セクター３における［ＦＰ１、ＦＰ２、ＦＰ３、ＦＰ４］の送信パワーは、［ＰＬｏｗ１、ＰＬｏｗ２、ＰＨｉｇｈ、Ｐｒｅｕｓｅ１］である。
【００６２】
以下、セクター１を例として、干渉制御機能選択指示シグナルの送信方法及びそれに対応する受信方法を具体的に説明する。
【００６３】
（１）ある原因のため、基地局が他の干渉制御機能に切り替える必要があり、基地局が、制御チャネルにおいて、干渉制御機能をイネーブルするかどうかに関わる指示情報と、選択された干渉制御機能のインデックス情報とを含む干渉制御機能選択指示シグナルを送信することを仮にする。干渉制御機能選択指示シグナルの１つのシグナルフォーマットは、表６に示される通りである。
【００６４】
【表６】
0005580412.tif 000007
【００６５】
「１」が干渉制御機能をイネーブルすることを表し、「０」が干渉制御機能をイネーブルしないことを表し、「０１」がＡＦＲ機能を表し、「１０」が、他の干渉制御機能を表すことを仮にすると、基地局は、制御チャネルにおいて「１  １０」を送信する。
【００６６】
（２）端末は、基地局が制御チャネルにおいて送信した干渉制御機能選択指示シグナル「１  １０」を受信してデコードし、現在のシステムが他の干渉制御機能に切り替えようとすることを知ると、次のＲｅｓｏｕｒｃｅ  Ｍｅｔｒｉｃの受信時刻で、基地局から送信されたＦＰのＲｅｓｏｕｒｃｅ  Ｍｅｔｒｉｃ情報［ＲＭ１、ＲＭ２、ＲＭ３、ＲＭ４］を受信しなく、他の干渉制御機能の動作要求に配置を調整して、且つ、他の干渉制御機能のフローによって動作する。
【００６７】
実施例７
本実施例において、システム干渉制御機能はＡＦＲ機能であり、且つデフォルト配置として基地局と端末に存在することである。
【００６８】
（１）基地局は、制御チャネルにおいて、ＡＦＲ機能をイネーブルするかどうかに関わる指示情報を含む干渉制御機能選択指示シグナルを送信する。「１」が選択された機能をイネーブルすることを表し、「０」が選択された機能をイネーブルしないことを表すことを仮にする。本実施例において、ＡＦＲ機能をイネーブルすることを仮にすると、基地局は、制御チャネルによって「１」を送信する。
【００６９】
（２）端末は、基地局が制御チャネルにおいて送信した干渉制御機能選択指示シグナル「１」を受信してデコードし、現在のシステムが、ＡＦＲ機能をイネーブルすることを選択することを知ると、ＡＦＲ機能に対応する配置に配置を調整して、ＡＦＲ機能をイネーブルした後の第一目のＲｅｓｏｕｒｃｅ  Ｍｅｔｒｉｃの受信時刻で、基地局から送信されたＦＰのＲｅｓｏｕｒｃｅ  Ｍｅｔｒｉｃ情報［ＲＭ１、ＲＭ２、ＲＭ３、ＲＭ４］を受信して、さらにＡＦＲ機能によって動作する。
【００７０】
実施例８
本実施例において、システム干渉制御機能はＡＦＲ機能であり、且つデフォルト配置として基地局と端末に存在することである。
【００７１】
ＡＦＲ機能が既にイネーブルされており、隣接する３つのセクターのＦＰの区分及びパワー配置状況が、図２に示される通りであることを仮にする。周波数リソースを４つのＦＰ、即ち、ＦＰ１、ＦＰ２、ＦＰ３、ＦＰ４に分け、ただし、［ＦＰ２、ＦＰ３、ＦＰ４］の周波数再利用因数がＲｅｕｓｅ１／３であり、ＦＰ１の周波数再利用因数がＲｅｕｓｅ１である。セクター１における［ＦＰ１、ＦＰ２、ＦＰ３、ＦＰ４］の送信パワーは、［ＰＨｉｇｈ、ＰＬｏｗ１、ＰＬｏｗ２、Ｐｒｅｕｓｅ１］であり、セクター２における［ＦＰ１、ＦＰ２、ＦＰ３、ＦＰ４］の送信パワーは、［ＰＬｏｗ２、ＰＨｉｇｈ、ＰＬｏｗ１、Ｐｒｅｕｓｅ１］であり、セクター３における［ＦＰ１、ＦＰ２、ＦＰ３、ＦＰ４］の送信パワーは、［ＰＬｏｗ１、ＰＬｏｗ２、ＰＨｉｇｈ、Ｐｒｅｕｓｅ１］である。
【００７２】
以下、セクター１を例として、干渉制御機能選択指示シグナルの送信及び受信プロセスを具体的に説明する。
【００７３】
（１）ある原因のため、基地局がＡＦＲ機能を閉じる必要があり、「１」が干渉制御機能をイネーブルすることを表し、「０」が選択された機能をイネーブルしないことを表すことを仮にすると、基地局は制御チャネルにおいて、「０」を送信する。
【００７４】
（２）端末は、基地局が制御チャネルにおいて送信した干渉制御機能選択指示シグナル「０」を受信してデコードし、現在のシステムがＡＦＲ機能を閉じようとすることを知ると、次のＲｅｓｏｕｒｃｅ  Ｍｅｔｒｉｃの受信時刻で、ＦＰのＲｅｓｏｕｒｃｅ  Ｍｅｔｒｉｃ情報［ＲＭ１、ＲＭ２、ＲＭ３、ＲＭ４］を受信しなく、且つ、ＡＦＲ機能をイネーブルする前のフローに切り替えて動作したり、システムのデフォルト配置によって動作したりする。
【００７５】
実施例９
本実施例において、システム干渉制御機能はＡＦＲ機能であり、且つデフォルト配置として基地局と端末に存在することである。
【００７６】
ＡＦＲ機能が既にイネーブルされており、隣接する３つのセクターのＦＰの区分及びパワー配置状況が、図２に示される通りであることを仮にする。周波数リソースを４つのＦＰ、即ち、ＦＰ１、ＦＰ２、ＦＰ３、ＦＰ４に分け、ただし、［ＦＰ２、ＦＰ３、ＦＰ４］の周波数再利用因数がＲｅｕｓｅ１／３であり、ＦＰ１の周波数再利用因数がＲｅｕｓｅ１である。セクター１における［ＦＰ１、ＦＰ２、ＦＰ３、ＦＰ４］の送信パワーは、［ＰＨｉｇｈ、ＰＬｏｗ１、ＰＬｏｗ２、Ｐｒｅｕｓｅ１］であり、セクター２における［ＦＰ１、ＦＰ２、ＦＰ３、ＦＰ４］の送信パワーは、［ＰＬｏｗ２、ＰＨｉｇｈ、ＰＬｏｗ１、Ｐｒｅｕｓｅ１］であり、セクター３における［ＦＰ１、ＦＰ２、ＦＰ３、ＦＰ４］の送信パワーは、［ＰＬｏｗ１、ＰＬｏｗ２、ＰＨｉｇｈ、Ｐｒｅｕｓｅ１］である。
【００７７】
以下、セクター１を例として、干渉制御機能選択指示シグナルの送信方法及びそれに対応する受信方法を具体的に説明する。
【００７８】
（１）ある原因のため、基地局がＡＦＲ機能を閉じる必要があり、「１」が干渉制御機能をイネーブルすることを表し、「０」が選択された機能をイネーブルしないことを表すことを仮にすると、基地局は制御チャネルにおいて、「０」を送信する。
【００７９】
（２）端末は、基地局が制御チャネルにおいて送信した干渉制御機能選択指示シグナル「０」を受信してデコードし、現在のシステムがＡＦＲ機能を閉じようとすることを知ると、次のＲｅｓｏｕｒｃｅ  Ｍｅｔｒｉｃの受信時刻で、ＦＰのＲｅｓｏｕｒｃｅ  Ｍｅｔｒｉｃ情報［ＲＭ１、ＲＭ２、ＲＭ３、ＲＭ４］を引き続き受信するが、ＡＦＲ機能をイネーブルする前のフローに切り替えて動作したり、システムのデフォルト配置によって動作したりする。
【００８０】
実施例１０
（１）基地局は、制御チャネルにおいて、干渉制御機能をイネーブルするかどうかに関わる指示情報と、選択された干渉制御機能のインデックス情報と、選択された干渉制御機能をイネーブルするかどうかに関わる時間指示情報とを含む干渉制御機能選択指示シグナルを送信する。時間指示情報によって、端末が干渉制御機能を実行する時間を決めやすくする。干渉制御機能選択指示シグナルの１つのシグナルフォーマットは、表７に示される通りである。
【００８１】
【表７】
0005580412.tif 000008
【００８２】
例として、「１」が干渉制御機能をイネーブルすることを表し、「０」が干渉制御機能をイネーブルしないことを表し、「０１」がＡＦＲ機能のインデックスを表し、「０１０」が、選択された機能を２つのスーパーフレームの後、イネーブルしあるいはイネーブルしないことを表す。本実施例において、ＡＦＲ機能を選択して２つのスーパーフレームの後にイネーブルすることを仮にすると、基地局は、制御チャネルによって、「１  ０１  ０１０」を送信する。
【００８３】
（２）端末は、基地局が制御チャネルにおいて送信した干渉制御機能選択指示シグナル「１  ０１  ０１０」を受信してデコードし、現在のシステムが干渉制御機能としてＡＦＲ機能を選択しており、この機能をイネーブルしようとし、具体的には、２つのスーパーフレームの後に、この機能をイネーブルしようとすることを知ると、２つのスーパーフレームの後に、ＡＦＲ機能の配置に自分の配置を調整して、２つのスーパーフレームの後のＲｅｓｏｕｒｃｅ  Ｍｅｔｒｉｃの受信時刻で、基地局から送信されたＦＰのＲｅｓｏｕｒｃｅ  Ｍｅｔｒｉｃ情報［ＲＭ１、ＲＭ２、ＲＭ３、ＲＭ４］を受信して、さらにＡＦＲ機能フローによって動作する。
【００８４】
実施例１１
本実施例において、システム干渉制御機能としてＡＦＲ機能を選択して、この機能が既にイネーブルされており、隣接する３つのセクターのＦＰの区分及びパワー配置状況が、図２に示される通りである。周波数リソースを４つのＦＰ、即ち、ＦＰ１、ＦＰ２、ＦＰ３、ＦＰ４に分け、ただし、［ＦＰ２、ＦＰ３、ＦＰ４］の周波数再利用因数がＲｅｕｓｅ１／３であり、ＦＰ１の周波数再利用因数がＲｅｕｓｅ１である。セクター１における［ＦＰ１、ＦＰ２、ＦＰ３、ＦＰ４］の送信パワーは、［ＰＨｉｇｈ、ＰＬｏｗ１、ＰＬｏｗ２、Ｐｒｅｕｓｅ１］であり、セクター２における［ＦＰ１、ＦＰ２、ＦＰ３、ＦＰ４］の送信パワーは、［ＰＬｏｗ２、ＰＨｉｇｈ、ＰＬｏｗ１、Ｐｒｅｕｓｅ１］であり、セクター３における［ＦＰ１、ＦＰ２、ＦＰ３、ＦＰ４］の送信パワーは、［ＰＬｏｗ１、ＰＬｏｗ２、ＰＨｉｇｈ、Ｐｒｅｕｓｅ１］である。
【００８５】
以下、セクター１を例として、干渉制御機能選択指示シグナルの送信方法及びそれに対応する受信方法を具体的に説明する。
【００８６】
（１）ある原因のため、基地局は３つのスーパーフレームの後、ＡＦＲ機能を閉じる必要があり、基地局は、制御チャネルにおいて、干渉制御機能をイネーブルするかどうかに関わる指示情報と、選択された干渉制御機能のインデックス情報と、選択された干渉制御機能をイネーブルするかどうかに関わる時間指示情報とを含む干渉制御機能選択指示シグナルを送信する。干渉制御機能選択指示シグナルの１つのシグナルフォーマットは、表８に示される通りである。
【００８７】
【表８】
0005580412.tif 000009
【００８８】
例として、「１」が干渉制御機能をイネーブルすることを表し、「０」が干渉制御機能をイネーブルしないことを表し、「０１」がＡＦＲ機能のインデックスを表し、「０１１」が、選択された機能を３つのスーパーフレームの後に、イネーブルしあるいはイネーブルしないことを表す。基地局は、制御チャネルによって、「０  ０１  ０１１」を送信する。
【００８９】
（２）端末は、基地局が制御チャネルにおいて送信した干渉制御機能選択指示シグナル「０  ０１  ０１１」を受信してデコードし、現在のシステムが３つのスーパーフレームの後に、ＡＦＲ機能を閉じようとすることを知ると、次のＲｅｓｏｕｒｃｅ  Ｍｅｔｒｉｃの受信時刻で、ＦＰのＲｅｓｏｕｒｃｅ  Ｍｅｔｒｉｃ情報［ＲＭ１、ＲＭ２、ＲＭ３、ＲＭ４］を引き続き受信して、ＡＦＲのフローによって動作し、３つのスーパーフレームの後、配置を調整して、ＡＦＲ機能をイネーブルする前のフローによって動作したり、システムのデフォルト配置によって動作したりする。
【００９０】
実施例１２
本実施例においてシステム干渉制御機能としてＡＦＲ機能を選択して、この機能が既にイネーブルされており、隣接する３つのセクターのＦＰの区分及びパワー配置状況が、図２に示される通りである。周波数リソースを４つのＦＰ、即ち、ＦＰ１、ＦＰ２、ＦＰ３、ＦＰ４に分け、ただし、［ＦＰ２、ＦＰ３、ＦＰ４］の周波数再利用因数がＲｅｕｓｅ１／３であり、ＦＰ１の周波数再利用因数がＲｅｕｓｅ１である。セクター１における［ＦＰ１、ＦＰ２、ＦＰ３、ＦＰ４］の送信パワーは、［ＰＨｉｇｈ、ＰＬｏｗ１、ＰＬｏｗ２、Ｐｒｅｕｓｅ１］であり、セクター２における［ＦＰ１、ＦＰ２、ＦＰ３、ＦＰ４］の送信パワーは、［ＰＬｏｗ２、ＰＨｉｇｈ、ＰＬｏｗ１、Ｐｒｅｕｓｅ１］であり、セクター３における［ＦＰ１、ＦＰ２、ＦＰ３、ＦＰ４］の送信パワーは、［ＰＬｏｗ１、ＰＬｏｗ２、ＰＨｉｇｈ、Ｐｒｅｕｓｅ１］である。
【００９１】
以下、セクター１を例として、干渉制御機能選択指示シグナルの送信方法及びそれに対応する受信方法を具体的に説明する。
【００９２】
（１）ある原因のため、基地局は３つのスーパーフレームの後に、ＡＦＲ機能を閉じる必要があり、基地局は、制御チャネルにおいて、干渉制御機能をイネーブルするかどうかに関わる指示情報と、選択された干渉制御機能をイネーブルするかどうかに関わる時間指示情報とを含む干渉制御機能選択指示シグナルを送信する。干渉制御機能選択指示シグナルの１つのシグナルフォーマットは、表９に示される通りである。
【００９３】
【表９】
0005580412.tif 000010
【００９４】
例として、「１」が干渉制御機能をイネーブルすることを表し、「０」が干渉制御機能をイネーブルしないことを表し、「０１１」が、選択された機能を３つのスーパーフレームの後に、イネーブルしあるいはイネーブルしないことを表すことである。基地局は、制御チャネルによって、「０  ０１１」を送信する。
【００９５】
（２）端末は、基地局が制御チャネルにおいて送信した干渉制御機能選択指示シグナル「０  ０１１」を受信してデコードし、現在のシステムが３つのスーパーフレームの後に、ＡＦＲ機能を閉じようとすることを知ると、次のＲｅｓｏｕｒｃｅ  Ｍｅｔｒｉｃの受信時刻で、ＦＰのＲｅｓｏｕｒｃｅ  Ｍｅｔｒｉｃ情報［ＲＭ１、ＲＭ２、ＲＭ３、ＲＭ４］を引き続き受信して、ＡＦＲのフローによって動作し、３つのスーパーフレームの後、配置を調整して、ＡＦＲ機能をイネーブルする前のフローによって動作したり、システムのデフォルト配置によって動作したりする。
【００９６】
実施例１３
本実施例においてシステム干渉制御機能としてＡＦＲ機能を選択して、この機能が既にイネーブルされており、隣接する３つのセクターのＦＰの区分及びパワー配置状況が、図２に示される通りである。周波数リソースを４つのＦＰ、即ち、ＦＰ１、ＦＰ２、ＦＰ３、ＦＰ４に分け、ただし、［ＦＰ２、ＦＰ３、ＦＰ４］の周波数再利用因数がＲｅｕｓｅ１／３であり、ＦＰ１の周波数再利用因数がＲｅｕｓｅ１である。セクター１における［ＦＰ１、ＦＰ２、ＦＰ３、ＦＰ４］の送信パワーは、［ＰＨｉｇｈ、ＰＬｏｗ１、ＰＬｏｗ２、Ｐｒｅｕｓｅ１］であり、セクター２における［ＦＰ１、ＦＰ２、ＦＰ３、ＦＰ４］の送信パワーは、［ＰＬｏｗ２、ＰＨｉｇｈ、ＰＬｏｗ１、Ｐｒｅｕｓｅ１］であり、セクター３における［ＦＰ１、ＦＰ２、ＦＰ３、ＦＰ４］の送信パワーは、［ＰＬｏｗ１、ＰＬｏｗ２、ＰＨｉｇｈ、Ｐｒｅｕｓｅ１］である。
【００９７】
以下、セクター１を例として、干渉制御機能選択指示シグナルの送信方法及びそれに対応する受信方法を具体的に説明する。
【００９８】
（１）ある原因のため、基地局は３つのスーパーフレームの後に、もう一つの干渉制御機能に切り替える必要があり、基地局は、制御チャネルにおいて、干渉制御機能をイネーブルするかどうかに関わる指示情報と、選択された干渉制御機能のインデックス情報と、選択された干渉制御機能をイネーブルするかどうかに関わる時間指示情報とを含む干渉制御機能選択指示シグナルを送信する。干渉制御機能選択指示シグナルの１つのシグナルフォーマットは、表１０に示される通りである。
【００９９】
【表１０】
0005580412.tif 000011
【０１００】
例として、「１」が干渉制御機能をイネーブルすることを表し、「０」が干渉制御機能をイネーブルしないことを表し、「０１」がＡＦＲ機能のインデックスを表し、「１０」が他の干渉制御機能を表し、「０１１」が、選択された機能を３つのスーパーフレームの後に、イネーブルしあるいはイネーブルしないことを表す。基地局は、制御チャネルによって、「１  １０  ０１１」を送信する。
【０１０１】
（２）端末は、基地局が制御チャネルにおいて送信した干渉制御機能選択指示シグナル「１  １０  ０１１」を受信してデコードし、現在のシステムが３つのスーパーフレームの後、もう一つの干渉制御機能に切り替えようとすることを知ると、次のＲｅｓｏｕｒｃｅ  Ｍｅｔｒｉｃの受信時刻で、ＦＰのＲｅｓｏｕｒｃｅ  Ｍｅｔｒｉｃ情報［ＲＭ１、ＲＭ２、ＲＭ３、ＲＭ４］を引き続き受信して、ＡＦＲのフローによって動作し、３つのスーパーフレームの後に、配置をもう一つの干渉制御機能の動作要求に調整して、もう一つの干渉制御機能のフローによって動作する。
【０１０２】
実施例１４
本実施例において、システム干渉制御機能はＡＦＲ機能であり、且つデフォルト配置として基地局と端末に存在することである。
【０１０３】
（１）基地局は、制御チャネルにおいて、ＡＦＲ機能をイネーブルするかどうかに関わる指示情報と、この機能をイネーブルするかどうかに関わる開始時間とを含む干渉制御機能選択指示シグナルを送信する。例として、「１」が選択された機能をイネーブルすることを表し、「０」が選択された機能をイネーブルしないことを表し、「０１１」が、選択された機能を３つのスーパーフレームの後に、イネーブルしあるいはイネーブルしないことを表す。本実施例において、ＡＦＲ機能を３つのスーパーフレームの後に、イネーブルすることを仮にすると、基地局は、制御チャネルによって「１  ０１１」を送信する。
【０１０４】
（２）端末は、基地局が制御チャネルにおいて送信した干渉制御機能選択指示シグナル「１  ０１１」を受信してデコードし、現在のシステムが、現在のシステムがＡＦＲ機能を３つのスーパーフレームの後にイネーブルすることを選択することを知ると、３つのスーパーフレームの後に、配置をＡＦＲ機能の配置に調整して、ＡＦＲイネーブル後の第一目のＲｅｓｏｕｒｃｅ  Ｍｅｔｒｉｃの受信時刻で、基地局から送信されたＦＰのＲｅｓｏｕｒｃｅ  Ｍｅｔｒｉｃ情報［ＲＭ１、ＲＭ２、ＲＭ３、ＲＭ４］を受信して、さらにＡＦＲ機能によって動作する。
【０１０５】
実施例１５
本実施例において、システム干渉制御機能はＡＦＲ機能であり、且つデフォルト配置として基地局と端末に存在することである。
【０１０６】
ＡＦＲ機能が既にイネーブルされており、隣接する３つのセクターのＦＰの区分及びパワー配置状況が、図２に示される通りであることを仮にする。周波数リソースを４つのＦＰ、即ち、ＦＰ１、ＦＰ２、ＦＰ３、ＦＰ４に分け、ただし、［ＦＰ２、ＦＰ３、ＦＰ４］の周波数再利用因数がＲｅｕｓｅ１／３であり、ＦＰ１の周波数再利用因数がＲｅｕｓｅ１である。セクター１における［ＦＰ１、ＦＰ２、ＦＰ３、ＦＰ４］の送信パワーは、［ＰＨｉｇｈ、ＰＬｏｗ１、ＰＬｏｗ２、Ｐｒｅｕｓｅ１］であり、セクター２における［ＦＰ１、ＦＰ２、ＦＰ３、ＦＰ４］の送信パワーは、［ＰＬｏｗ２、ＰＨｉｇｈ、ＰＬｏｗ１、Ｐｒｅｕｓｅ１］であり、セクター３における［ＦＰ１、ＦＰ２、ＦＰ３、ＦＰ４］の送信パワーは、［ＰＬｏｗ１、ＰＬｏｗ２、ＰＨｉｇｈ、Ｐｒｅｕｓｅ１］である。
【０１０７】
以下、セクター１を例として、干渉制御機能選択指示シグナルの送信及び受信プロセスを具体的に説明する。
【０１０８】
（１）ある原因のため、基地局は３つのフレームの後、ＡＦＲ機能を閉じる必要があり、例として、「１」が選択された機能をイネーブルすることを表し、「０」が選択された機能をイネーブルしないことを表し、「０１１」が、選択された機能を３つのフレームの後にイネーブルしあるいはイネーブルしないことを仮に表す。基地局は、制御チャネルにおいて、「０  ０１１」を送信する。
【０１０９】
（２）端末は、基地局が制御チャネルにおいて送信した干渉制御機能選択指示シグナル「０  ０１１」を受信してデコードし、現在のシステムが３つのフレームの後に、ＡＦＲ機能を閉じようとすることを知ると、次のＲｅｓｏｕｒｃｅ  Ｍｅｔｒｉｃの受信時刻で、ＦＰのＲｅｓｏｕｒｃｅ  Ｍｅｔｒｉｃ情報［ＲＭ１、ＲＭ２、ＲＭ３、ＲＭ４］を引き続き受信して、ＡＦＲ機能フローによって動作し、３つのフレームの後に、ＡＦＲ機能をイネーブルする前のフローに切り替えて動作したり、システムのデフォルト配置によって動作したりする。
【０１１０】
実施例１６
（１）基地局は、制御チャネルにおいて、干渉制御機能をイネーブルするかどうかに関わる指示情報と、選択された干渉制御機能のインデックス情報と、選択された干渉制御機能をイネーブルするかどうかに関わる時間指示情報と、周波数パーティションの送信パワー指示情報とを含む干渉制御機能選択指示シグナルを送信する。干渉制御機能選択指示シグナルの１つのシグナルフォーマットは、表１１に示される通りである。
【０１１１】
【表１１】
0005580412.tif 000012
【０１１２】
例として、「１」が干渉制御機能をイネーブルすることを表し、「０」が干渉制御機能をイネーブルしないことを表し、「０１」がＡＦＲ機能のインデックスを表し、「０１０」が、選択された機能を２つのスーパーフレームの後に、イネーブルしあるいはイネーブルしないことを表す。本実施例において、ＡＦＲ機能を選択して２つのスーパーフレームの後にイネーブルし、基地局が、４つの周波数パーティションのサブキャリアの送信パワーを端末に通知することを仮にする。
【０１１３】
周波数パーティションの数が４であり、即ち、ＦＰ１、ＦＰ２、ＦＰ３、ＦＰ４であることを仮にする。各周波数パーティションのサブキャリアの送信パワーは、以下の方式の１つにより表されることができる。
【０１１４】
（Ｉ）Ｎ個のｂｉｔによって各周波数パーティションのサブキャリアの送信パワー情報を説明する。
【０１１５】
（ＩＩ）Ｎ個のｂｉｔによって絶対情報を利用して１つの各周波数パーティションのサブキャリアの送信パワー情報を説明し、差分値方式でＭ個のｂｉｔによって他の３つの周波数パーティションのサブキャリアの送信パワー情報とそれらの差分値情報を説明する。
【０１１６】
（ＩＩＩ）基地局と端末には、周波数パーティションのサブキャリアの送信パワー情報の配置リストが予め保存／デフォルト配置されており、基地局は、配置リストにおけるインデックス情報を送信することによって、各周波数パーティションのサブキャリアの送信パワー情報を指示する。
【０１１７】
本実施例において、方式（ＩＩ）で各周波数パーティションのサブキャリアの送信パワー情報を説明し、ＦＰ１に対して絶対方式、例えば「１０１０１０」で説明し、ＦＰ２、ＦＰ３、ＦＰ４のそれぞれに対して差分値方式、「０１１」、「０１１」、「００１」で説明することを仮にする。基地局は、制御チャネルによって、「１  ０１  ０１０  １０１０１０  ０１１  ０１１  ００１」を端末に送信する。
【０１１８】
（２）端末は、基地局が制御チャネルにおいて送信した干渉制御機能選択指示シグナル「１  ０１  ０１０  １０１０１０  ０１１  ０１１  ００１」を受信してデコードし、システムが現在干渉制御機能としてＡＦＲ機能を選択してこの機能をイネーブルしようとし、具体的には、２つのスーパーフレームの後に、この機能をイネーブルしようとし、且つ各ＦＰのサブキャリアのパワー配置情報が提供されたことを知ると、２つのスーパーフレームの後、自分の配置をＡＦＲ機能配置に調整して、２つのスーパーフレームの後のＲｅｓｏｕｒｃｅ  Ｍｅｔｒｉｃの受信時刻で、基地局から送信されたＦＰのＲｅｓｏｕｒｃｅ  Ｍｅｔｒｉｃ情報［ＲＭ１、ＲＭ２、ＲＭ３、ＲＭ４］を受信して、さらにＡＦＲ機能フローによって動作する。
【０１１９】
実施例１７
上記の各実施例では、端末と基地局において、デフォルト配置によって干渉機能制御機能を予め選択し、あるいは基地局が、干渉制御機能の指示シグナルによってその選択した干渉制御機能を端末に通知する方法を説明したが、実際に、本発明は、これに限定されなく、干渉制御機能に対する選択操作は、端末により完了されてもよい。例えば、基地局は、インデックス情報によって、複数の最適干渉制御機能を端末に通知すればよい。
【０１２０】
その後、端末は、自分のネットワーク環境などの各種の性能パラメータによって、１つの干渉制御機能を選択して、基地局にフィードバックする。端末の選択に対して、基地局は、次の指示、例えば、端末の選択した干渉制御機能をイネーブルするかどうか、何時この干渉制御機能をイネーブルするか等を行ってもよい。このように、端末が自分の実際の状況に合わせて選択を行って適当な干渉制御機能を利用するようにすることができる。
【０１２１】
具体的には、この方法の実現プロセスは、図４に示すように、下記のステップを含む。
【０１２２】
端末は、複数の干渉制御機能のインデックス情報を載せた、基地局からの第１の干渉制御機能の指示シグナルを取得する（ステップＳ４０２）。インデックス情報によって、複数の干渉制御機能から１つの干渉制御機能を選択し、選択された干渉制御機能を基地局にフィードバックする（ステップＳ４０４）。イネーブルするかどうかに関わるイネーブル指示情報、選択された干渉制御機能のイネーブル時間指示情報、周波数パーティションの送信パワー指示情報の少なくとも１つを載せた、基地局からの第２の干渉制御機能の指示シグナルを取得する（ステップＳ４０６）。第２の干渉制御機能の指示シグナルによって、干渉制御機能の配置操作を行う（ステップＳ４０８）。
【０１２３】
本発明の実施例によると、好ましくは、受信器と、受信器に接続される配置器とを備える端末を更に提供している。
【０１２４】
受信器は、干渉制御機能をイネーブルするかどうかに関わるイネーブル指示情報、干渉制御機能のインデックス情報、干渉制御機能のイネーブル時間指示情報、周波数パーティションの送信パワー指示情報の少なくとも１つを載せた、基地局からの干渉制御機能の指示シグナルを受信する。また、配置器は、受信器の受信した干渉制御機能の指示シグナルによって干渉制御機能の配置操作を行う。
【０１２５】
好ましくは、ここでの干渉制御機能の配置操作は、（一）干渉制御機能をイネーブルするかどうかに関わるイネーブル指示情報によって、干渉制御機能のイネーブルを判断して、更に干渉制御機能のインデックス情報によって、配置の必要がある干渉制御機能を判断すること、（二）インデックス情報の指示した干渉制御機能を選択して配置すること、（三）イネーブル時間指示情報の指示した時刻又は時間帯において、イネーブル指示情報によって予め配置又は選択された干渉制御機能を、イネーブル又はディセーブルすることであってもよいが、これらに限定されない。
【０１２６】
本発明の実施例に提供された上記の少なくとも１つの技術スキームは、干渉制御機能の具体的な利用方法を提供して、従来技術におけるこの技術による空白をうめた。また、本発明は、従来のネットワーク構成と現行のフローに対して変更を行わなく、実現、普及しやすく、強い工業適用性を有する。
【０１２７】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005580412.tif 000013
【図２】
0005580412.tif 000014
【図３】
0005580412.tif 000015
【図４】
0005580412.tif 000016